(57)【要約】【課題】変電所の運転員が実務能力や経験によらず、状況に応じた電力系統の運用業務を行えるようにする。【解決手段】この電力設備監視制御システムは、発電所内で発生するイベントに関するルールとして、前記イベント発生元の機器の識別子と、前記機器の動作状況と、前記機器の動作状況の重要度を示す数値、前記機器に対する制御内容とが設定されたルール記憶部と、前記発電所内の機器の配線図または配置図が回線毎に区分して記憶された図面記億部と、前記発電所内で発生したイベントの通知が受信された場合、前記イベントの通知内容と前記ルール記憶部のルールがマッチした機器の識別子を含むベイの区画の配線図または配置図を前記図面記億部から読み出す自動選別部と、この自動選別部により読み出された配線図または配置図をモニタへ出力する表示制御部とを備える。【選択図】図１
2012022634.tif 000002
【特許請求の範囲】
【請求項１】
発電所内で発生するイベントに関するルールとして、前記イベント発生元の機器の識別子と、前記機器の動作状況と、前記機器の動作状況の重要度を示す数値、前記機器に対する制御内容とが設定されたルール記憶部と、
前記発電所内の前記機器の配線図または配置図が回線毎に記憶された図面記億部と、
前記発電所内で発生したイベントの通知が受信された場合、前記イベントの通知内容と前記ルール記憶部のルールがマッチした機器の識別子を含むベイの区画の配線図または配置図を前記図面記億部から読み出す自動選別部と、
前記自動選別部により読み出された配線図または配置図をモニタへ出力する表示制御部と
を具備することを特徴とする電力設備監視制御システム。
【請求項２】
受信されたイベントから、機器制御が必要な場合に、行うべき制御内容に応じた制御コマンドを該当機器へ出力する変電所機器制御部をさらに具備することを特徴とする請求項１記載の電力設備監視制御システム。
【請求項３】
前記ルール記憶部に記憶された前記ルールの設定を変更するための操作画面を表示し、前記操作画面に対する変更操作により前記ルールの設定を変更する基本ルールカスタマイズ機能をさらに具備することを特徴とする請求項１記載の電力設備監視制御システム。
【請求項４】
前記配線図または配置図を、予め設定された上位の制御所または指令所の電子メールアドレスまたはファックス番号へ送信する画面イメージ自動転送部をさらに具備することを特徴とする請求項１記載の電力設備監視制御システム。
【請求項５】
画面情報を呼び出し帳票の出力対象となるイベントレベルと、帳票の出力対象期間、自動的に帳票の出力を行う自動出力頻度、自動的に帳票の出力を行う自動出力時間、印刷対象の情報、およびファイル保存対象の情報を有する帳票出力ルールが設定され、当該帳票出力ルールに従って画面のハードコピーおよび／または帳票を出力する帳票出力部をさらに具備することを特徴とする請求項１記載の電力設備監視制御システム。
【請求項６】
前記帳票出力部は、
帳票出力対象のイベントレベルと帳票出力対象期間、自動出力頻度、自動出力時間、印刷対象情報、およびファイル保存対象情報を自由に変更できる帳票カスタマイズ機能と、
予め設定された帳票出力ルールに従い画面のハードコピーおよび／または帳票を出力する機能と
をさらに具備することを特徴とする請求項５記載の電力設備監視制御システム。
【請求項７】
前記基本ルールカスタマイズ機能に対して、遠隔操作により前記ルール記憶部の記憶内容を変更するための基本ルール遠隔カスタマイズ機能をさらに具備することを特徴とする請求項３記載の電力設備監視制御システム。
【請求項８】
前記帳票カスタマイズ機能に対して遠隔操作により前記帳票出力ルールを変更するための帳票遠隔カスタマイズ機能をさらに具備することを特徴とする請求項６記載の電力設備監視制御システム。
【発明の詳細な説明】
【技術分野】
【０００１】
本発明は、例えば発電所や変電所などに設置された電力系統の設備に障害が発生したときの復旧を支援するための電力設備監視制御システムに関する。
【背景技術】
【０００２】
一般に、監視制御システムは、電力系統設備における障害発生時に、警報や画面表示をもとに運転員が状況を把握し画面操作を行う。このような従来の監視制御システムとしては、電力系統設備の事故発生時に、電力系統監視制御システムが監視した情報から事故発生を検知すると、監視情報に基づいて事故パターンを抽出し、抽出した事故パターンに対応する事故処理ガイダンスにより運転員を支援する、「事故時運転支援装置および電力系統監視・事故時運転支援システム」というものがある（例えば特許文献１参照）。
【先行技術文献】
【特許文献】
【０００３】
【特許文献１】特開２００２−１４２３６２号公報（第７頁、抄録５頁等）
【発明の概要】
【発明が解決しようとする課題】
【０００４】
上述した監視制御システムでは、ガイダンスといっても、監視している機器の状態が変化した場合に、警報が鳴り、状態の変化を示すメッセージ（テキストデータ）が画面に表示されるだけであり、運転員が警報に気づき画面の表示内容を見ても、どの系統がどのように状態が変化したかといった機器の状況を把握するまでには至らず、画面確認の後、監視用の端末を操作して、関係する情報をデータベースから呼び出し画面に映し出し初めて状況が理解できる状態になる。
【０００５】
このため、運転員の実務能力（スキル）や実務経験によっては、状況把握までの遅れや間違った状況把握を行ってしまうこともあり、的確な系統運用を行うことができず、電力品質の低下を招きかねないという問題があった。
【０００６】
本発明はこのような課題を解決するためになされたもので、電力設備の運転員が実務能力や実務経験によらず、状況に応じた電力系統の運用業務を行うことができる電力設備監視制御システムを提供することを目的とする。
【課題を解決するための手段】
【０００７】
上記の課題を解決するために、本発明の電力設備監視制御システムは、発電所内で発生するイベントに関するルールとして、前記イベント発生元の機器の識別子と、前記機器の動作状況と、前記機器の動作状況の重要度を示す数値、前記機器に対する制御内容とが設定されたルール記憶部と、前記発電所内の前記機器の配線図または配置図が回線毎に記憶された図面記億部と、前記発電所内で発生したイベントの通知が受信された場合、前記イベントの通知内容と前記ルール記憶部のルールがマッチした機器の識別子を含むベイの区画の配線図または配置図を前記図面記億部から読み出す自動選別部と、前記自動選別部により読み出された配線図または配置図をモニタへ出力する表示制御部とを具備することを特徴とする。
【発明の効果】
【０００８】
本発明によれば、電力設備の運転員が実務経験によらず、状況に応じた電力系統の運用業務を行うことができる。
【図面の簡単な説明】
【０００９】
【図１】第１実施形態の変電設備監視制御システムの構成を示す図である。
【図２】画面選択基本ルールの一例を示す図である。
【図３】表示、出力される画面イメージの一例を示す図である。
【図４】第１実施形態の変電設備監視制御システムの動作を示すフローチャートである。
【図５】第２実施形態の変電設備監視制御システムの構成を示す図である。
【図６】第２実施形態の変電設備監視制御システムの動作を示すフローチャートである。
【図７】第３実施形態の変電設備監視制御システムの構成を示す図である。
【図８】基本ルールカスタマイズ機能の画面の一例を示す図である。
【図９】基本ルールカスタマイズ機能の画面表示方法選択画面の一例である。
【図１０】第４実施形態の変電設備監視制御システムの構成を示す図である。
【図１１】第５実施形態の変電設備監視制御システムの構成を示す図である。
【図１２】出力する帳票の一例を示す図である。
【図１３】帳票カスタマイズ機能の画面の一例を示す図である。
【図１４】第６実施形態の変電設備監視制御システムの構成を示す図である。
【発明を実施するための形態】
【００１０】
以下、図面を参照し本発明に係るいくつかの実施の形態の電力設備監視制御システムを説明する。
（第１実施形態）
図１乃至４を参照して第１実施形態の変電設備監視制御システムについて説明する。図１は第１実施形態の変電設備監視制御システムのシステム構成図、図２は遮断器にて発生するイベント２を対象とした画面選択基本ルールの一例を示す図、図３は画面イメージの一例を示す図である。
【００１１】
図１に示すように、変電設備監視制御システム画面制御装置としてコンピュータ１は、画面選択基本ルール記憶部１１と、画面自動選別部１２と、表示制御部１３と、図面記憶部１４とを備えている。コンピュータ１にはモニタ３が接続されている。モニタ３は例えば液晶表示装置などであり、入力された情報を画面に表示するものである。
【００１２】
コンピュータ１は、変電所機器および変電設備監視制御システムを構成するユニットから発生するイベント２を受信し、出力として変電所などの電力設備の運転員に対してイベント発生の状況に応じた情報（該当するベイの配線図や機器の配置図等）をモニタ３の画面に表示する。ベイとは変電所内で系統毎に分けられた回線をいう。
【００１３】
画面選択基本ルール記憶部１１には、画面選択基本ルールが記憶されている。画面選択基本ルールは、受信されるイベント２をキー値として、イベント２に対応して動作を起こすための規則（情報）である。遮断器にて発生するイベント２を対象とした画面選択基本ルールの一例を図２に示す。
【００１４】
図２に示すように、画面選択基本ルールは、遮断器の開閉状況を含む機器状態の変化、周波数低下や過電流などの電力系統の状態の変化、およびネットワークの伝送異常や制御端末の故障、プリンタのエラーのような変電設備監視制御システムを構成する各々のユニットの状態の変化などを通知するイベントが発生した場合に画面に表示する画面表示情報である。
【００１５】
画面自動選別部１２は、変電所の機器から受信されるイベント２と、画面選択基本ルールのキー値であるイベント内容とを照合し、画面に表示すべき情報と、機器制御を必要とする場合には制御内容を選別する。
【００１６】
表示制御部１３は、画面自動選別部１２により選別された機器の配置を特定するための図面を図面記憶部１４から呼び出し、画面情報を解釈して表示画面に自動的に表示する。
【００１７】
図３は表示画面に表示された画面イメージの一例である。この変電設備監視制御システムは、変電所に設置されている送電線の遮断器などの各機器から状態を示す信号を受信し、各機器に発生した状態変化を基にガイダンスを画面に自動的に表示する。以下、このコンピュータ１が監視している監視対象の機器の状態変化を「イベント」と呼ぶこととする。
【００１８】
次に、この変電設備監視制御システムの動作を説明する。この変電設備監視制御システムでは、イベント発生の通知がコンピュータ１に受信されて、画面自動選別部１２がイベントの発生を検出すると、画面自動選別部１２は、イベントの通知内容と画面選択基本ルール記憶部１１のルールとを照合し、イベントの通知内容とルールがマッチした機器の識別子を含むベイの区画の配線図または配置図を図面記憶部１４から呼び出し表示制御部へ渡す。また、これと同時に、画面自動選別部１２はイベントの通知内容からルールにある情報を解釈して画面表示方法を表示制御部１３へ通知する。表示制御部１３は、画面自動選別部１２から受け取った配線図または配置図と画面表示方法に従い、配線図または配置図を表示可能なデータ形式に変換してモニタ３へ出力する。
【００１９】
ここで、画面選択基本ルールについて詳細に説明する。画面選択基本ルール記憶部１１に保存されているルール（情報）は、変電所の機器または変電設備監視制御システムを構成するユニットにおいて発生し得るイベント内容１１ａをキー値として、それらキー値に対応する情報を一組にした情報である。
【００２０】
イベント内容１１ａに対応する情報は、例えばイベントの重要度を表すイベントレベル１１ｂ、画面に表示する表示画面情報１１ｃ、および変電所機器に対して行う制御内容１１ｄなどである。なお、制御内容１１ｄは、制御を必要としない場合には空白文字のような制御不要を表す文字が入るものとする。
【００２１】
また、イベントレベル１１ｂは、「０１」〜「１０」の１０段階に分類されており、数値が高いほど重要度が高いものとする。
【００２２】
例えば、重要度の低いイベント（イベントレベル１１ｂ：「０１」〜「０６」）は操作記録など一般のイベントであり、重要度の高いイベント（イベントレベル１１ｂ：「０７」〜「１０」）は、変電所機器の故障や変電設備監視制御システムを構成する各々のユニットにおける機器不良といった緊急を要するイベントである。
【００２３】
画面表示情報１１ｃは、表示方法を、例えば関数のように画面自動選別部１２が解釈することが可能な記述で表現するものとする。図２の例では、画面選択基本ルール１１の１行目の画面表示情報１１ｃは「Show(C02):Msg("遮断器Q0オープン"):Blink(C02:Q0)」である。画面表示情報１１ｃの例では、「:」は各関数間の区切りを表している。
【００２４】
各関数は、それぞれ画面表示方法を表しており、「Show(C02)」は「引数に指定したベイC02の系統図を画面表示する」、「Msg("遮断器Q0オープン")」は「メッセージ情報として引数に指定した"遮断器Q0オープン"と画面表示する」、「Blink(C02:Q0)」は「引数に指定したベイC02の遮断器Q0を点滅させる」とそれぞれ画面自動選別部１２によって解釈される表現となっている。
【００２５】
ここで、ベイとは変電所で母線から分岐する送電線や変圧器につながる回線を指す。図２の画面選択基本ルール１１の一例では、左から順に、イベント内容１１ａ、イベントレベル１１ｂ、表示画面情報１１ｃ、制御内容１１ｄとして各行１組のルールを表現している。また、画面選択基本ルール１１がテキストファイルの場合には、デリミタ文字「,」などを用いて各情報の間を区切る。
【００２６】
例えば、キー値であるイベントが遮断器Q0のオープン「C02:Q0:Open」である場合には、当該イベントに対応するイベントレベル１１ｂは「０６」、表示画面情報１１ｃは「ベイC02の系統図を画面表示し、メッセージ情報として"遮断器Q0オープン"と画面表示し、ベイC02のQ0を点滅させる」という表現であり、当該イベント内容１１ａは遮断器をオープンしたという情報の伝達目的であり追加で変電所機器制御を行う必要が無いため、制御内容１１ｄは空白である。
【００２７】
次に、イベント内容１１ａがベイC02において周波数低下を観測した「C02:Low Frequency」である場合には、イベントレベル１１ｂは「１０」、表示画面情報１１ｃは「ベイC02の系統図を画面表示し、メッセージ情報として"周波数低下"と画面表示する」という表現であり、制御内容１１ｄはベイC02の遮断器Q0のオープンを表す制御コマンド「C02:Q0:Open」である。
【００２８】
次に、図４を参照して画面自動選別部１２の動作を詳細に説明する。画面自動選別部１２は、イベント２を受信したときに、当該イベントと合致するイベント内容１１ａを画面選択基本ルール記憶部１１から検索し、合致したイベント内容が存在するか否かを判定する（図４のステップＳ１０１）。
【００２９】
この判定結果、合致したイベント内容が存在する場合（ステップＳ１０１のＹｅｓ）、画面自動選別部１２は、次に当該イベントに対応するイベントレベルが予め設定された画面表示の条件を満たしているかどうかを判定する（ステップＳ１０２）。
【００３０】
画面表示の条件を満たしている場合（ステップＳ１０２のＹｅｓ）、画面自動選別部１２は、イベント２に対応する表示画面情報１１ｃで表現されている文字列（情報）のプログラムコードを解析し、イベント内容１１ａ、イベントレベル１１ｂ、および表示画面情報１１ｃから、解析した画面表示方法を表示制御部１３へ転送する（ステップＳ１０３）。
【００３１】
一方、上記条件を満たさなかった場合（ステップＳ１０２のＮｏ）、画面自動選別部１２は、条件を満たす行が現れるまで処理を実行する。そして画面自動選別部１２は、画面選択基本ルール１１を全て検索し、条件を満たす行が存在しなかった場合には、その時点で処理を終了する。
【００３２】
次に、図３を参照して表示制御部１３の動作を詳細に説明する。表示制御部１３は、画面自動選別部１２から転送されてきたイベント内容１１ａ、イベントレベル１１ｂ、および画面自動選別部１２が解釈した画面表示方法を呼び出し、呼び出した画面表示方法に基づいて画面イメージに変換し表示画面３に画面を自動表示する。
【００３３】
例えば図３はイベント「C02:Low Frequency（ベイC02で周波数低下を観測）」と「C02:Q0:Open（ベイC02の遮断器Q0がオープン）」を連続して受信した際の画面イメージである。図３に示す表示画面３０は、ベイC02の部分の系統図を表しており、系統図の中には、ベイ名称３ａ、母線３ｂ、遮断器Q1などの断路器３ｃ、遮断器Q2の回路線３ｄ、遮断器Q0などの断路器３ｅ、メッセージ情報画面３ｆ、メッセージ情報３ｇなどが示されている。
【００３４】
図３の表示画面３０では、メッセージ情報画面３ｆの表示から最初に09年7月1日の3時00分20秒567にベイC02において周波数低下を観測していることがわかる。同様に、09年7月1日の3時00分22秒901にベイC02において遮断器Q0がオープンしていることがわかる。このとき、遮断器Q0は点滅している。
【００３５】
モニタ３の表示画面３０に表示される情報は、次のように遷移する。まず、ベイC02における周波数低下のイベントを受信した時点で、当該イベントに対応する表示画面情報「ベイC02の系統図を画面表示し、メッセージ情報として"周波数低下"と画面表示する」に基づいて、系統図の画面を表示する。その後、メッセージ情報画面３ｆのメッセージ情報３ｇに該当するメッセージを日時とベイ名を付加して表示する。
【００３６】
次に、ベイC02の遮断器Q0オープンのイベントを受信した時点で、当該イベントに対応する表示画面情報「ベイC02の系統図を画面表示し、メッセージ情報として"遮断器Q0オープン"と画面表示し、ベイC02の遮断器Q0を点滅させる」に基づいて、系統図画面をそのまま表示し続ける。
【００３７】
続いて、メッセージ情報画面３ｆのメッセージ情報３ｇに該当するメッセージと日時、ベイ名を表示する。最後に、遮断器Q0がオープンしたことを示すために、遮断器Q0を点滅させる。以上が図３の表示画面３０の例における動作の遷移である。
【００３８】
変電所内の機器の動作状況を監視し、発生したイベントに応じた対応または機器への操作を行う上で、従来は、各種イベントが発生した場合に、運転員が警報や画面のテキスト表示を見て、機器の状況を把握し、その上で操作を行っていたために、運転員のスキルにより、状況把握までの遅れや間違った状況把握を行ってしまう可能性があった。
【００３９】
一方、この第１実施形態の変電設備監視制御システムでは、変電所の機器あるいはコンピュータ１を構成する各々のユニットから発生するイベントを基に参照しなければならない機器を含むベイの配線図や配置図などを自動的に呼び出してモニタ３の画面に表示する。また、通知されたイベントが、変電所内の機器の制御を必要とするイベントである場合にはその制御も実行する。
【００４０】
このように変電所内の各機器の状態が変化したときに、その状況を運転員が把握するための情報提示機能を提供することで、画面に表示された配線図から、イベントの発生した機器の状況が運転員のスキルに左右されることなく理解でき、より的確な系統運用が可能である。これにより、運転員の把握ミスやそれに起因する操作ミスを防止することが可能となり、操作を行う運転員とコンピュータ１との親和性を向上することができる。また、従来のテキストによる画面表示よりも迅速かつ正確な変電所機器の運用が可能となる。
【００４１】
この結果、変電所機器の操作を行う運転員は、状況に応じた画面を基に系統運用業務を行うことができるようになる。
【００４２】
（第２実施形態）
図５および図６を参照して第２実施形態の変電設備監視制御システムについて説明する。なお、第１実施形態と同一の構成には同一の符号を付し重複する説明は省略する。
【００４３】
この第２実施形態では、変電所機器制御部１４が設けられている。変電所機器制御部１４は、変電所の遮断器から受信されたイベント２に状態の変化が生じた場合に該当機器の制御を行う。すなわち、変電所機器制御部１４は、受信されたイベントから、機器制御が必要な場合に、行うべき制御内容に応じた制御コマンドを該当機器へ出力する。
【００４４】
図５に示すように、本実施の形態においては図１の構成に加えて、変電所機器が認識できる制御コマンド４に変換する変電所機器制御部１４から構成される。
【００４５】
第１実施形態の要素に加えて、変電所機器制御部１４を備えることで、画面自動選別部１２が、図６に示すように、図面を呼び出したとき、受信したイベントの内容と画面選択基本ルールとが合致し（ステップＳ１１１のＹｅｓ）、イベントに対するイベントレベルが画面表示の条件を満たしているか否かを判定した結果（ステップＳ１１２、条件が成立した場合（ステップＳ１１２のＹｅｓ）、画面自動選別部１２は、ベイの配線図や配置図などの画面表示の内容を図面記憶部１０から呼び出して表示制御部１３に転送すると共に（ステップＳ１１３）、変電所の機器に対して行う制御内容１１ｄを選定しそれを変電所機器制御部１４に転送する（ステップＳ１１４）。
【００４６】
画面自動選別部１２から変電所機器制御部１４へ制御内容が転送されてくると、変電所機器制御部１４は、その制御内容１１ｄを変電所の機器が認識できる制御コマンド４に変換して該当機器へ送り、制御する。
【００４７】
以上のように、この第２実施形態の変電設備監視制御システムによれば、イベント内容によって変電所内の機器の制御が余儀なくされる場合においても、ルールに基づいて選択された制御内容が自動的に実行されるので、運転員の判断ミスによる変電所機器への影響を削減することが可能である。これにより、変電所においてイベントが発生した際の運転員による操作を削減でき、運転員による変電所の運用が従来に比べて容易になる。
【００４８】
この結果、前述の第１実施形態で説明した、イベントが発生した場合の自動的な画面表示に加えて、必要とする場合にイベント内容に応じた変電所機器制御を行うことができる。
【００４９】
（第３実施形態）
図７、図８、および図９を参照して第３実施形態の変電設備監視制御システムについて説明する。なお第１実施形態と同一の構成には同一の符号を付し重複する図および説明は省略する。
【００５０】
図７に示すように、第３実施形態では、基本ルールカスタマイズ機能部１５が設けられている。この基本ルールカスタマイズ機能部１５は、画面選択基本ルール記憶部１１の変更が必要となった際のルール変更を行うための機能である。すなわち、基本ルールカスタマイズ機能部１５は、画面選択基本ルール記憶部１１に記憶された画面選択基本ルールの設定を変更するための操作画面を表示し、この操作画面に対する変更操作が行われることで画面選択基本ルールの設定を変更する。
【００５１】
コンピュータ１では、基本ルールカスタマイズ機能部１５を起動すると、画面選択基本ルール記憶部１１の内容（画面選択基本ルール）を基本ルールカスタマイズ機能部１５が呼び出し、図２に示した画面選択基本ルールのイベント内容１１ａに対応する各情報である、イベントレベル１１ｂ、画面表示情報１１ｃ、制御内容１１ｄの内容に変更を加え、画面選択基本ルール記憶部１１の保存内容を更新する。
【００５２】
次に、図８および図９を参照して基本ルールカスタマイズ機能部１５の動作を詳細に説明する。基本ルールカスタマイズ機能部１５は図８に示す操作画面１５ｘを表示する。
【００５３】
図８に示すように、操作画面１５ｘには、編集対象機器名選択コンボボックス１５ａ、イベント内容選択コンボボックス１５ｂ、イベントレベル選択コンボボックス１５ｃ、画面表示方法表示テキストボックス１５ｄ、画面表示方法追加ボタン１５ｅ、制御内容選択コンボボックス１５ｆ、画面表示対象イベントレベル（最小）選択コンボボックス１５ｇ、画面表示対象イベントレベル（最大）選択コンボボックス１５ｈ、保存ボタン１５ｉ、終了ボタン１５ｊで構成される。初期状態では、編集対象機器名選択コンボボックス１５ａ、画面表示対象イベントレベル（最小）選択コンボボックス１５ｇ、画面表示対象イベントレベル（最大）選択コンボボックス１５ｈ、終了ボタン１５ｊが表示され、上記項目として設定されているルール（情報）の変更操作が可能である。
【００５４】
この操作画面１５ｘにて、例えば画面表示対象のイベントレベルなどを設定することにより、画面自動選別部１２は、自動的に図面の呼び出しを行うイベントのレベルの範囲を決めることが可能である。
【００５５】
編集対象機器名選択コンボボックス１５ａにより編集対象の機器名を選択すると、基本ルールカスタマイズ機能部１５は、選択した機器名に対応する画面選択基本ルール記憶部１１に保存されている画面選択基本ルールを呼び出し、イベント内容選択コンボボックス１５ｂ、イベントレベル選択コンボボックス１５ｃ、画面表示方法追加ボタン１５ｅ、制御内容選択コンボボックス１５ｆが操作可能となる。
【００５６】
画面表示方法表示テキストボックス１５ｄに表示されているテキストが、例えば図８に示すような状態であるときに、オペレータが画面表示方法追加ボタン１５ｅを押す操作を行うと、図９に示すような画面表示方法追加画面１５ｋが画面自動選別部１２により表示される。
【００５７】
この画面表示方法追加画面１５ｋには、表示方法選択コンボボックス１５ｌ、表示対象ベイ選択ボックス１５ｍ、表示対象機器名選択ボックス１５ｎ、追加ボタン１５ｏ、画面表示方法表示テキストボックス１５ｐ、リセットボタン１５ｑ、クリアボタン１５ｒ、クローズボタン１５ｓなどが表示される。
【００５８】
この画面表示方法追加画面１５ｋは、初期状態では、画面表示方法表示テキストボックス１５ｐに、現在設定されている画面表示方法が表示（初期表示）される。オペレータが表示方法選択コンボボックス１５ｌで表示方法を選択すると、画面自動選別部１２は、表示対象ベイ選択ボックス１５ｍ、表示対象機器名選択ボックス１５ｎを選択可能とする。
【００５９】
なお、ベイあるいは機器名を選択する必要がない表示方法を選択した場合、画面自動選別部１２は、選択不要なコンボボックスを非アクティブとし、入力操作を無効とする。
【００６０】
図９の画面表示方法追加画面１５ｋの設定状態で、オペレータが追加ボタン１５ｏを押す操作を行うと、画面自動選別部１２は、表示方法、対象ベイおよび対象機器名の設定に対応する関数を画面表示方法表示テキストボックス１５ｐに追加する。
【００６１】
図９の画面表示方法追加画面１５ｋの例は、当該関数を追加した状態である。この状態でオペレータがリセットボタン１５ｑを押すと、画面自動選別部１２は、画面表示方法表示テキストボックス１５ｐを、追加ボタン１５ｏを押す前の状態に戻す。またオペレータがクリアボタン１５ｒを押すと、画面自動選別部１２は、画面表示方法表示テキストボックス１５ｐの内容をクリアする。
【００６２】
オペレータがクローズボタン１５ｓを押すと、画面自動選別部１２は、画面表示方法追加画面１５ｋを閉じ、画面表示方法を基本ルールカスタマイズ機能の操作画面１５ｘの画面表示方法表示テキストボックス１５ｄに反映する。
【００６３】
この第３実施形態では、ベイC02で観測した計測値情報を表示する関数（Measure(C02)）を追加した後、続けてクローズボタン１５ｓを押し、図８の状態に移っている。
【００６４】
図８の操作画面１５ｘの例では「編集対象機器名はベイC02、編集対象のイベント内容は"周波数低下"である。イベントレベルは「１０」とし、画面表示方法は、ベイC02の系統図を画面表示し、メッセージ情報として"周波数低下"と画面表示するものとし、制御内容は"遮断器オープン"とする。
【００６５】
なお、画面表示対象のイベントレベルは「０６」〜「１０」とする」という設定になる。イベント内容に対応する情報の編集を行った後、保存ボタン１５ｉを押すことにより、画面選択基本ルール１１に編集内容が反映される。保存操作を行わずに終了ボタン１５ｊを押すと、編集内容は破棄される。
【００６６】
以上のように、この第３実施形態の変電設備監視制御システムによれば、変電所の機器の操作を行う上で、機器毎に存在する画面表示ルールを、ファイルに直接手を加えることなく変更することができる。特に、画面表示方法はその表現に関数などシステム独自の表現を含む場合が多く入力ミスが発生しやすいため、コンボボックス等により選択設定することによりその入力ミスを防止することができる。
【００６７】
これにより、変電所を管理する客先やエンジニアリング会社による、変電所の設定変更や仕様変更に際した画面表示ルールの設定・変更に関する作業時間や負担を削減することが可能である。この結果、図８および図９の画面のような基本ルールカスタマイズ機能部１５を用いて、機器毎の画面選択基本ルール１１の変更を行うことができる。
【００６８】
（第４実施形態）
図３および図１０を参照して第４実施形態の変電設備監視制御システムを説明する。なお、第１実施形態と同一の構成には同一の符号を付し重複する図および説明は省略する。
この第４実施形態では、コンピュータ１に画面イメージ転送部１６が設けられている。この画面イメージ転送部１６は変電所の遮断器にイベント２が発生した場合、その画面イメージを転送する。
【００６９】
ここで、画面イメージ自動転送部１６の動作を説明する。図１０に示すように、この第４実施形態では、コンピュータ１は、図１の構成に加えて、表示制御部１３が自動的に変換した画面イメージ５を上位の制御所や指令所に転送する画面イメージ自動転送部１６を有している。
【００７０】
この場合、第１実施形態の作用に加えて、画面イメージ自動転送部１６は、イベントの対象の配線図または配置図などを図面記憶部１０から呼び出して、例えばビットマップやＪＰＥＧなどの、上位の制御所や指令所に転送可能な形式のデータ（これを「画面イメージ５」と称す）に自動的に変換する。
【００７１】
画面イメージ自動転送部１６は、転送可能な形式に変換した画面イメージ５を、予め設定された上位の制御所や指令所の電子メールアドレスまたはFax番号を宛先として転送する。
【００７２】
この第４実施形態では、画面イメージ自動転送部１６が図面記憶部１０から配線図または配置図などを呼び出し、呼び出した図面データを転送可能な形式のデータに変換した上で、予め設定された宛先およびタイミングで自動転送する。自動転送するタイミングは、重要度の高いイベントが発生した場合と、上位の制御所や指令所からの要求があった場合があるものとする。また、画面イメージ５のフォーマットは、図３の画面イメージと同様である。
【００７３】
以上のように、この第４実施形態の変電設備監視制御システムによれば、変電設備監視制御システムにおいて自動表示を行った画面を必要なタイミングで必要な情報のみ転送することで、上位の制御所や指令所の運転員は、変電所で表示された必要な画面を必要なタイミングでのみ確認することができ、画面から必要な情報を目で追って抜き出す作業を削減することができる。
【００７４】
（第５実施形態）
図３、図１１、図１２および図１３を参照して第５実施形態の変電設備監視制御システムについて用いて説明する。なお、第１実施形態と同一の構成には同一の符号を付し重複する説明は省略する。
【００７５】
図１１に示すように、この第５実施形態の変電設備監視制御システムのコンピュータ１は、図１の構成に加えて、帳票出力ルール記憶部１７と、帳票出力部１８と、帳票カスタマイズ機能部１９とを備えている。
【００７６】
帳票出力ルール記憶部１７には、帳票の出力対象となるイベントレベルと、自動的に帳票の出力を行う帳票自動出力頻度、自動的に帳票の出力を行う帳票自動出力時間、印刷対象の画面、保存対象の画面ハードコピーファイル、および当該ファイルの保存先フォルダ名等といった印刷設定の内容が保存されている。
【００７７】
帳票出力部１８は、変電所の遮断器からのイベント２が発生した場合に帳票への出力処理を行う。帳票カスタマイズ機能部１９は、帳票出力ルール記憶部１７の印刷設定の内容を変更するための帳票カスタマイズ機能であり、帳票カスタマイズ用の操作画面１９ｘを表示する。
【００７８】
図１３に示すように、操作画面１９ｘには、出力対象イベントレベル（最小）選択コンボボックス１９ａ、出力対象イベントレベル（最大）選択コンボボックス１９ｂ、帳票出力対象期間選択コンボボックス１９ｃ、帳票自動出力頻度選択コンボボックス１９ｄ、帳票自動出力時刻選択コンボボックス１９ｅ、印刷対象選択コンボボックス１９ｆ、ファイル保存対象選択コンボボックス１９ｇ、保存先フォルダ表示テキストボックス１９ｈ、参照ボタン１９ｉ、保存ボタン１９ｊ、終了ボタン１９ｋ等が表示される。
【００７９】
出力対象イベントレベル（最小）選択コンボボックス１９ａ、出力対象イベントレベル（最大）選択コンボボックス１９ｂにて出力対象イベントレベルを設定することにより、帳票出力部１８が出力を行う画面ハードコピー６および帳票７のイベントレベルの範囲を決めることが可能である。帳票出力対象期間選択コンボボックス１９ｃにより一定期間（例えば１日分や１週間分など）の帳票７を出力するよう設定することが可能である。
【００８０】
帳票自動出力頻度選択コンボボックス１９ｄにより帳票７の自動出力の頻度を、帳票自動出力時刻選択コンボボックス１９ｅにより帳票７の自動出力の時刻をそれぞれ設定することにより、毎回決まったタイミングで帳票７を出力することが可能である。印刷対象選択コンボボックス１９ｆでは、帳票７として出力する画面を選択することが可能である。
【００８１】
ファイル保存対象選択コンボボックス１９ｇでは、画面ハードコピー６として出力しコンピュータの特定のフォルダに保存する画面を選択することが可能である。
【００８２】
保存先フォルダ表示テキストボックス１９ｈは、画面ハードコピー６の保存先フォルダのパスを表示している。参照ボタン１９ｉを押し、参照先フォルダを指定することで保存先フォルダを変更することが可能である。
【００８３】
この第５実施形態の変電設備監視制御システムでは、表示制御部１３が自動的に変換した画面イメージを帳票出力部１８が受け取ると、帳票出力部１８は、帳票の出力対象となるイベントレベルと、自動的に帳票の出力を行う帳票自動出力頻度、自動的に帳票の出力を行う帳票自動出力時間、印刷対象の画面、保存対象の画面ハードコピーファイル、および当該ファイルの保存先フォルダ名を保存する帳票出力ルールに従って、画面のハードコピー６や帳票７を出力する。
【００８４】
より具体的には、帳票出力部１８は、受け取った画面イメージを、帳票出力ルール１７が保存する印刷設定に従って、ビットマップなどのファイル形式に自動的に変換し画面ハードコピー６を生成するか、あるいは帳票７としてプリンタに出力する。
【００８５】
これに加えて、帳票出力ルール記憶部１７の印刷設定の内容を変更する場合は、帳票カスタマイズ機能部１９を起動して帳票カスタマイズ機能を操作するための画面を表示し、この画面から、印刷設定の内容をカスタマイズする。変更対象の印刷設定は、出力対象イベントレベル、自動出力頻度、自動出力時間、ソート方法、および出力形式などであり、オペレータが画面操作によりこれらの項目に変更を加えた後、確定操作を行うことで、帳票カスタマイズ機能部１９は帳票出力ルール記憶部１７に変更を反映する。
【００８６】
画面ハードコピー６の表示形式は、図３と同様である。また図１２は帳票７の出力例である。図１２に示す各カラムはイベントレベル７ａ、イベントの発生日時７ｂ、機器名７ｃ、およびメッセージ７ｄを有している。イベントレベル７ａ、機器名７ｃ、およびメッセージ７ｄは、画面選択基本ルール１１の内容に従って表示される。また、画面ハードコピー６および帳票７は、帳票出力ルール１７の内容に従って出力される。
【００８７】
なお、この第５実施形態では、画面ハードコピー６は、重要度の高いイベントが発生した場合と、変電所を操作する運転員からの要求があった場合に保存先フォルダに帳票出力部１８が保存するものとする。
【００８８】
図１３の操作画面１９ｘの例では、「０６」〜「１０」のイベントレベルを対象に、毎日8:00に１週間分のイベント帳票およびアラーム帳票を印刷する。また、画面ハードコピーとしてファイル保存する対象は系統図とイベント帳票とし、保存先フォルダは"C:\XXX変電所\系統情報\2009年7月度"とする。」という設定になる。
【００８９】
ここで、アラーム帳票とは、重要度の高いイベントに特化した帳票のことである。情報の編集を行った後、保存ボタン１９ｇを押すことにより、帳票出力ルール１７に編集内容が反映される。保存操作を行わずに終了ボタン１９ｈを押すと、編集内容は破棄される。
【００９０】
以上のように、この第５実施形態の変電設備監視制御システムによれば、変電設備監視制御システムにおいて、帳票を出力する期間やタイミング、出力対象の帳票、保存対象のハードコピー、およびその保存先を編集することが可能である。それにより、変電所機器の操作を行う運転員は、決まったタイミングで必要な情報のみを画面イメージ（ビットマップファイルやJPEGファイル）、または書類の形式で自動的に取得することが可能となり、運転員にとっては帳票の管理がシンプルかつ容易になる。
以上により、帳票出力ルール１７が保存する出力対象のイベントレベルと帳票出力対象期間、帳票自動出力頻度、帳票自動出力時間、印刷対象、ファイル保存対象、および保存先フォルダを変更できる帳票カスタマイズ機能部１９と設定に応じた帳票出力ルール１７に従い画面ハードコピー６や帳票７を出力することができる。
【００９１】
（第６実施形態）
図２、図８、図９、図１３、および図１４を参照して第６実施形態の変電設備監視制御システムについて説明する。なお、第１実施形態と同一の構成には同一の符号を付し重複する説明は省略する。
【００９２】
この第６実施形態では、コンピュータ１とは別に、コンピュータ１にネットワークを介して接続された遠隔操作用の端末を備える。端末は例えば上位の制御所や指令所に配置されている。コンピュータ１は例えば制御所や指令所から遠い電力設備の設置場所（山間部の変電所など）に設置されているものとする。
【００９３】
端末は、画面選択基本ルール記憶部１１の記憶内容の変更が必要となった際の、上位の制御所や指令所からの基本ルール遠隔カスタマイズ機能部８と、制御所や指令所からの帳票遠隔カスタマイズ機能部９とを備える。
【００９４】
具体的には、この第６実施形態の変電設備監視制御システムは、図１４に示すように、図１１のコンピュータ１の構成に加えて、画面選択基本ルール記憶部１１の保存内容の変更を上位の制御所や指令所から遠隔で行う基本ルール遠隔カスタマイズ機能部８と、帳票出力ルール１７の保存内容の変更を同様に遠隔操作で行う帳票遠隔カスタマイズ機能部９とを有している。
【００９５】
基本ルール遠隔カスタマイズ機能部８は、画面選択基本ルール記憶部１１の記憶内容の変更が必要となった際の、上位の制御所や指令所からの基本ルール遠隔カスタマイズ機能を提供する。また帳票遠隔カスタマイズ機能部９は、帳票出力ルール記憶部１７の印刷設定の内容に変更の必要が発生した際の、制御所や指令所からの帳票遠隔カスタマイズ機能を提供する。
【００９６】
図８および図９を参照して基本ルール遠隔カスタマイズ機能部８の動作を詳細に説明する。図８、図９に示すように、基本ルール遠隔カスタマイズ機能部８の操作画面およびその操作方法は第３実施形態で説明した基本ルールカスタマイズ機能部１５の操作方法と同様である。
【００９７】
上位の制御所や指令所の端末において基本ルール遠隔カスタマイズ機能部８を起動すると、基本ルール遠隔カスタマイズ機能部８は、ネットワークを介してコンピュータ１に接続し、画面選択基本ルール１１の内容を取得する。画面選択基本ルールの変更操作が完了した後、終了操作を行うと、基本ルール遠隔カスタマイズ機能部８は、画面選択基本ルール記憶部１１に基本ルールの変更内容を反映し、コンピュータ１との接続を切断する。
【００９８】
次に、帳票遠隔カスタマイズ機能９の動作を詳細に説明する。帳票遠隔カスタマイズ機能９の操作画面は、図１３に示した操作画面１９ｘと同様であり、その操作方法は第５実施形態で説明した帳票カスタマイズ機能部１９の操作方法と同様である。
【００９９】
上記基本ルール遠隔カスタマイズ機能部８と同様に、端末で帳票遠隔カスタマイズ機能部９を起動すると、帳票遠隔カスタマイズ機能部９は、ネットワークを介してコンピュータ１に接続し帳票出力ルール１７の内容を取得する。印刷設定の内容の操作を完了した後、終了操作を行うと、帳票遠隔カスタマイズ機能部９は、帳票出力ルール記憶部１７に変更内容を反映し、コンピュータ１との接続を切断する。
【０１００】
以上のように、この第６実施形態の変電設備監視制御システムによれば、例えば上位の制御所や指令所の端末に基本ルール遠隔カスタマイズ機能部８および帳票遠隔カスタマイズ機能部９を備え、その端末からネットワークを介して山間部に建設した変電所のコンピュータ１に接続し、コンピュータ１を遠隔操作して変電所内の各機器を監視することで、機器毎に存在する画面表示ルールまたは帳票出力ルールを、上位の制御所や指令所の運転員が変電所へ出向くことなく基本ルールや帳票出力の設定を変更することができる。
【０１０１】
特に、変電所は山間部などの交通が不便な場所に建設される場合が多く、加えて変電所と上位の制御所や指令所との距離が遠く離れている場合が多いため、運転員の変電所までの移動を削減することができる。これにより、変電所の設定変更や仕様変更に際した画面表示ルールおよび帳票出力ルールの設定・変更に関する作業時間や負担を削減できると共に、運転員の上位の制御所や指令所から変電所までの移動に要する時間的コストを削減することができる。
【０１０２】
このように基本ルール遠隔カスタマイズ機能部８を用いて機器毎の画面選択基本ルール１１を、帳票遠隔カスタマイズ機能９を用いて帳票出力ルール１７を、それぞれ上位の制御所や指令所から遠隔操作により変更することができる。
【０１０３】
なお、本願発明は、上記実施形態のみに限定されるものではなく、実施段階ではその要旨を逸脱しない範囲で構成要素を変形してもよい。例えば各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。
【０１０４】
電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【０１０５】
１…コンピュータ、２…イベント検出部、３…モニタ、４…制御コマンド、５…画面イメージ、６…画面ハードコピー、７…帳票、８…基本ルール遠隔カスタマイズ機能部、９…帳票遠隔カスタマイズ機能１１…画面選択基本ルール記憶部、１２…画面自動選別部、１３…表示制御部、１４…変電所機器制御部、１５…基本ルールカスタマイズ機能部、１６…画面イメージ自動転送部、１７…帳票出力ルール、１８…帳票出力部、１９…帳票カスタマイズ機能部。
【図１】
2012022634.tif 000003
【図２】
2012022634.tif 000004
【図３】
2012022634.tif 000005
【図４】
2012022634.tif 000006
【図５】
2012022634.tif 000007
【図６】
2012022634.tif 000008
【図７】
2012022634.tif 000009
【図８】
2012022634.tif 000010
【図９】
2012022634.tif 000011
【図１０】
2012022634.tif 000012
【図１１】
2012022634.tif 000013
【図１２】
2012022634.tif 000014
【図１３】
2012022634.tif 000015
【図１４】
2012022634.tif 000016